(57)【特許請求の範囲】
【請求項１】
化粧液が含浸されるマスクシート；
前記マスクシートに付着されて伝導性物質からなるポケット部；
前記ポケット部に挿入されて伝導性物質からなる挿入部材；及び
前記挿入部材に繋がって電気信号を印加する電気供給部；を含み、
前記ポケット部は、前記挿入部材が着脱できるように挿入されるよう、一部が前記マスクシートから離隔して開放された挿入部を形成し、
前記挿入部材は、前記挿入部を通して前記ポケット部の一側面と前記マスクシートの間に形成される内部空間に着脱できるように挿入され、
前記挿入部材は磁性体からなり、
前記電気供給部は、
電源部と電気的に繋がって電気の供給を受け、前記ポケット部に接する時、前記ポケット部に挿入された挿入部材との間に磁力が発生して前記ポケット部の前面に付着されるように磁力部材を備える第１固定部；及び
前記第１固定部を通して印加される電気信号を制御する制御部；を含むことを特徴とする、電気マスクパックセット。
【請求項２】
前記挿入部材は、
前記ポケット部に本体全体が挿入される形状からなることを特徴とする、請求項１に記載の電気マスクパックセット。
【請求項３】
前記挿入部材は、
前記挿入部に挿入される第１本体と、前記第１本体と繋がって前記ポケット部の外部へ露出される第２本体を含むことを特徴とする、請求項１に記載の電気マスクパックセット。
【請求項４】
前記ポケット部は、
マスクシートを使用者の顔面に付着する時、使用者顔面の複数個の設定された箇所の上部に位置するよう、前記マスクシートの設定された位置に複数個が備えられ、それぞれのポケット部は、伝導性物質で互いに繋がることを特徴とする、請求項２または３に記載の電気マスクパックセット。
【請求項５】
使用者の顔面に設定された箇所に電気刺激が印加されるよう、前記挿入部材は複数個が前記複数個のポケット部の全部または一部に選択的に挿入され、前記挿入部材が挿入されたポケット部の全部または一部に電気信号が印加されることを特徴とする、請求項４に記載の電気マスクパックセット。
【請求項６】
前記電気供給部は、
前記複数個のポケット部に挿入された複数個の挿入部材にそれぞれ繋がって、複数個の前記挿入部材に印加される電気信号を個別的に制御する制御部を備えることを特徴とする、請求項５に記載の電気マスクパックセット。
【請求項７】
前記ポケット部は、
前記挿入部材が前記挿入部を通して挿入された後、使用者の顔に前記マスクパックを付着する時、前記挿入部材が前記ポケット部の外部へ離脱されないよう、前記ポケット部の下端は閉鎖されていることを特徴とする、請求項１に記載の電気マスクパックセット。
【発明の詳細な説明】
【技術分野】
【０００１】
本発明は、電気マスクパックセットに係り、詳しくは、マスクシートに電気信号を印加して肌に電気的に刺激を与える電気マスクパックセットに関する。
【背景技術】
【０００２】
マスクパックは、不織布、紙、織物などのような素材に液状形態の水分または栄養分（以下「化粧液」という）が含浸された状態で使用者の顔を含む肌に付着されて肌に栄養分を供給する。
【０００３】
しかし、従来のマスクパックは、肌に化粧液を吸収させるために、長い時間肌にマスクパックを付着しなければならない問題があり、また長期間マスクパックを肌に付着させる場合も化粧液が肌に吸収される割合が高くないという問題があった。
【発明の概要】
【発明が解決しようとする課題】
【０００４】
前記のような問題点のうち、少なくとも一部を解決するために提案されたものであって、本発明の一側面として、肌に電気刺激を与える電気マスクパックセットを提供することを目的とする。
【０００５】
本発明は、一側面として、マスクシートに金属のような伝導性物質を挿入できるポケット部を備え、ポケット部に伝導性物質を挿入または取り除くことができるようにする、電気マスクパックセットを提供することを目的とする。
【０００６】
本発明は、一側面として、伝導性物質がポケット部で容易に挿入及び除去できる、電気マスクパックセットを提供することを目的とする。
【０００７】
本発明は、一側面として、磁石によってポケット部に挿入される金属物質と繋がって電気を供給する電気マスクパックセットを提供することを目的とする。
【０００８】
本発明は、一側面として、金属製ハサミを利用してポケット部に挿入される金属と繋がって電気を供給する電気マスクパックセットを提供することを目的とする。
【０００９】
本発明は、一側面として、複数個のポケット部を備え、それぞれのポケット部に挿入部材を選択的に着脱できるように挿入する電気マスクパックセットを提供することを目的とする。
【００１０】
本発明は、一側面として、複数個のポケット部に挿入される挿入部材に印加される電気信号をそれぞれ制御できる電気マスクパックセットを提供することを目的とする。
【課題を解決するための手段】
【００１１】
前記のような目的を達成するための一側面として、本発明は、化粧液が含浸されるマスクシート；と、前記マスクシートに付着されて伝導性物質からなるポケット部；と、前記ポケット部に挿入されて伝導性物質からなる挿入部材；及び、前記挿入部材に繋がって電気信号を印加する電気供給部；を含み、前記ポケット部は、前記挿入部材が着脱可能に挿入されるよう、一部が前記マスクシートで離隔されて開放された挿入部を形成し、前記挿入部材は、前記挿入部を通して前記ポケット部の一側面と前記マスクシートの間に形成される内部空間に着脱できるように挿入されることを特徴とする、電気マスクパックセットを提供する。
【００１２】
本発明の一側面として、挿入部材は、前記ポケット部に本体全体が挿入される形状で備えられてもよい。
【００１３】
本発明の一側面として、挿入部材は、前記挿入部に挿入される第１本体と、前記第１本体と繋がって前記ポケット部の外部に露出される第２本体を含んでもよい。
【００１４】
本発明の一側面として、前記ポケット部は、マスクシートを使用者の顔面に付着する時、使用者の顔面の複数個の設定された箇所で、上部に位置するように前記マスクシートの設定された位置に複数個が備えられ、それぞれのポケット部は伝導性物質で互いに繋がることができる。
【００１５】
本発明の一側面として、使用者の顔面に設定された箇所に電気刺激が印加されるよう、前記挿入部材の複数個が前記複数個のポケット部の全部または一部に選択的に挿入され、前記挿入部材が挿入されたポケット部の全部または一部に電気信号が印加されることができる。
【００１６】
本発明の一側面として、前記挿入部材は磁性体で備えられて、前記電気供給部は、電源部と電気的に繋がって電気の供給を受け、前記ポケット部に接する時、前記ポケット部に挿入された挿入部材との間に磁力が発生して前記ポケット部の前面に付着するように磁力部材を備える第１固定部；及び前記第１固定部を通して印加される電気信号を制御する制御部；を含むことができる。
【００１７】
本発明の一側面として、前記電気供給部は、電源部と電気的に繋がって電気の供給を受け、磁力部材の間に前記第２本体が挿入され、磁力によって前記第２本体が固定されるように一対の磁力部材からなる第２固定部；及び、前記第２固定部を通して印加される電気信号を制御する制御部；を含むことができる。
【００１８】
本発明の一側面として、前記電気供給部は、電源部と電気的に繋がって電気の供給を受け、ハサミの形状で備えられて前記第２本体に固定される第３固定部；と、前記第３固定部を通して印加される電気信号を制御する制御部；を含むことができる。
【００１９】
本発明の一側面として、前記電気供給部は、前記複数個のポケット部に装入された複数個の挿入部材にそれぞれ繋がって、複数個の前記挿入部材に印加される電気信号を個別的に制御する制御部を備えることができる。
【００２０】
本発明の一側面として、前記ポケット部は、前記挿入部材が前記挿入部を通して挿入された後、使用者の顔に前記マスクパックを付着する時、前記挿入部材が前記ポケット部の外部へ離脱されないよう、前記ポケット部の下端は閉鎖されることができる。
【発明の効果】
【００２１】
以上のように、本発明の一実施例によれば、マスクシートに電気刺激を与えて肌に速く化粧液が吸収される効果を提供する。
【００２２】
本発明の一実施例によれば、マスクシートに電気刺激を与えて肌に化粧液が吸収される割合を高める効果を提供する。
【００２３】
本発明の一実施例によれば、挿入部材が金属からなる場合も予め化粧液が含浸されたマスクシートのポケット部に挿入部材を挿入するため、挿入部材が化粧液によって腐食することを防止することができる効果を提供する。
【００２４】
本発明の一実施例によれば、前記挿入部材がポケット部材に着脱できるように挿入されるので、前記挿入部材を分離して再度使用することができる。
【００２５】
本発明の一実施例によれば、前記挿入部材がポケット部に挿入されることによって、使用者の顔面に直接接触することが防止され、金属のような電極を顔に直接接触して電気刺激を与えることを防止することができる。
【００２６】
本発明の一実施例によれば、ポケット部を顔面の経絡のように設定された箇所に配置して設定された箇所で電気刺激を与える効果を提供する。
【００２７】
本発明の一実施例によれば、複数個のポケット部に選択的に挿入部材を挿入及び取り除くことができ、状況に応じて使用者の顔面で電気刺激が印加される部分を変更することができる効果を提供する。
【００２８】
本発明の一実施例によれば、マスクシートに印加される電流の強さ、周期、振幅などを調節することができる。
【００２９】
本発明の一実施例によれば、複数個のポケット部のそれぞれに挿入される挿入部材に流れる電流を個別的に制御することができる。
【図面の簡単な説明】
【００３０】
【図１】本発明の一実施例による電気マスクパックセットの正面図である。
【図２】本発明の一実施例によるポケット部を示す簡略図である。
【図３】本発明の一実施例による電気供給部と挿入部材の連結状態を示す斜視図である。
【図４】本発明の別の実施例による電気供給部と挿入部材の連結状態を示す斜視図である。
【発明を実施するための形態】
【００３１】
以下、添付された図面に従って本発明を詳細に説明する。
【００３２】
まず、以下で説明される実施例は、本発明の電気マスクパックセット１００を理解させるために相応しい実施例である。ただし、本発明が以下で説明される実施例に限定して適用されたり説明される実施例によって本発明の技術的特徴が制限されるのではなくて、本発明の技術範囲で多様な変形実施が可能である。
【００３３】
本発明の一実施例による電気マスクパックセット１００は、化粧液が含浸されるマスクシート１１０と、前記マスクシート１１０の前面に付着されて伝導性物質からなるポケット部１２０と、前記ポケット部１２０に挿入されて伝導性物質からなる挿入部材１３０及び、前記挿入部材１３０に繋がって電気信号を印加する電気供給部１４０を含む。
【００３４】
図１及び図２を参照すれば、本発明の一実施例によるマスクシート１１０は、化粧液が含浸される不織布、紙などのような素材で備えられてもよい。
【００３５】
まず、化粧液は肌に栄養分を供給する物質、水分を含んでもよく、イオン泳動が可能な物質で備えられてもよい。また、化粧液は液状またはクリーム形態で前記マスクシート１１０に含浸された状態であってもよく、ゲル形態で前記マスクシート１１０に付着された状態も可能である。また、前記マスクシート１１０は、不織布、紙、織物、生分解性高分子物質で備えられてもよい。
【００３６】
図１及び図２を参照すれば、本発明の一実施例によるポケット部１２０には、前記挿入部材１３０が挿入される内部空間ｐが形成されてもよい。
【００３７】
ここで、前記ポケット部１２０は前記挿入部材１３０が内部空間ｐに挿入されるよう、前記マスクシート１１０と離隔して開放された挿入部１２１を備える。そして、前記挿入部１２１を除いた他の部分は開放されず、前記マスクシート１１０に貼りついて閉まった状態で備えられてもよい。前記挿入部１２１の大きさと形状は、前記挿入部材１３０が挿入さできる大きさと形状で備えられてもよい。
【００３８】
そして、前記ポケット部１２０で前記挿入部１２１を除いた他の部分は、挿入された挿入部材１３０が外部へ離脱されないよう、ポケット部１２０の外周の全部または一部がマスクシート１１０に貼りついて閉まった状態で備えられてもよい。
【００３９】
すなわち、前記ポケット部１２０で前記挿入部１２１を除いた他の部分は、全部が前記マスクシート１１０に貼りついている状態で備えられてもよく、前記挿入部材１３０が離脱されない程度で、一部が開放されることもある。
【００４０】
特に、本発明の一実施例による前記ポケット部１２０は、使用者が顔をあげて座っているか立っている状態で、前記挿入部材１３０がポケット部１２０から離脱されることを防止するために、前記挿入部１２１が前記ポケット部１２０の上部または側面に形成され、挿入部１２１を除いた他の部分は前記ポケット部１２０の下部に備えられてもよい。
【００４１】
図面に示される挿入部１２１と、塞がっている部分１２２として図示された領域は、一実施例に該当し、図面に示された部分に限定されない。
【００４２】
一例として、図面に示された塞がっている領域は、前記挿入部材１３０が下部へ離脱されることを防止するために、前記ポケット部１２０の外周が前記マスクシート１１０と貼りついている部分であって、図面に図示された挿入部１２１の範囲及び塞がっている部分１２２に図示された領域の他に残りの部分が開放されることも閉鎖されることも可能である。
【００４３】
一方、使用者が横になっている状態で前記マスクシート１１０を使用者の顔面に付着する場合は、前記挿入部材１３０が前記ポケット部１２０の内部空間に挿入された後、容易に離脱されることが防止され、前記挿入部１２１と塞がっている部分１２２の位置が制限されないこともある。
【００４４】
そして、本発明の一実施例によるポケット部１２０は複数個が備えられ、前記複数個のポケット部１２０は、マスクシート１１０を使用者の顔に付着する時、使用者の顔の特定部位、例えば、特定の経絡位置に配置されてもよい。
【００４５】
そして、本発明の一実施例による複数個のポケット部１２０、１２０Ａ、１２０Ｂ、１２０Ｃ、１２０Ａ'、１２０Ｂ'、１２０Ｃ'は、互いに電流が流れるように伝導性物質からなる連結部１２３によって連結されてもよい。複数個のポケット部１２０において、各々のポケット部１２０は前述したポケット部１２０の技術的特徴を全て有する。
【００４６】
一方、本発明の一実施例による挿入部材１３０は、電気を伝達する伝導性物質からなることができるし、一例として、鉄のような磁性体や磁石からなることができる。ここで、本発明の一実施例による挿入部材１３０は、図２のように、前記ポケット部１２０の内部空間ｐに全部が挿入される形状からなることができる。
【００４７】
他の実施例として、前記挿入部材１３０は、一部が前記ポケット部１２０の外部へ突出されてもよく、この場合、図３に図示されたように、ｚ方向に突出される形状からなることができる。すなわち、挿入部材１３０は、前記ポケット部１２０に挿入される第１本体１３１と前記ポケット部１２０の外部で垂直方向に形成される第２本体１３２を含むことができる。前記第１本体１３１と前記第２本体１３２は、同じ材質でも、異なる材質でもよい。
【００４８】
一実施例として、図２及び図３に図示されたように、円形からなることができる。ただし、これに限定されず、前述した技術的特徴を備える限り、多様な形状で備えられてもよい。
【００４９】
そのため、本発明の一実施例による電気マスクパックセット１００は、マスクシート１１０に前記挿入部材１３０が挿入された状態で化粧液が含浸されて包装紙に包装された状態ではなく、マスクシート１１０と挿入部材１３０が互いに分離された状態でマスクシート１１０に化粧液が含浸された状態で包装紙に包装され、使用する際にマスクシート１１０を広げて挿入部材１３０を前記ポケット部１２０に挿入する方式である。
【００５０】
そのため、前記挿入部材１３０が金属物質からなる場合、挿入部材１３０がマスクシート１１０に固定された状態で化粧液が含浸される実施例に比べて、化粧液１３０に含浸された時間が相対的に少ないため、前記挿入部材１３０が腐食することを防止することができる。
【００５１】
そして、前記挿入部材１３０がポケット部１２０に着脱できるように挿入されることができ、マスクシート１１０に前記挿入部材１３０を付着して使った後、前記挿入部材１３０を分離して再度使用することができる。
【００５２】
そして、本発明の一実施例による電気マスクパックセット１００は、前記挿入部材１３０がポケット部１２０に挿入されることで使用者の顔面に直接接触することが防止され、金属のような電極を顔に直接接触して電気刺激を与えることに比べて使用者の肌の損傷を防止することができる。
【００５３】
また、前記挿入部材１３０が第１本体１３１と第２本体１３２からなる実施例の場合、前記第２本体１３２がポケット部１２０から突出される形状で備え、ポケット部１２０に挿入部材１３０の挿入と除去を容易にすることができる。
【００５４】
そして、図１及び図２を参照すれば、本発明の一実施例による電気供給部１４０は、前記挿入部材１３０に電気的に繋がって、前記挿入部材１３０に電流を流す固定部１４１、１４２、１４３と、前記固定部に繋がって電流を供給する電源部（未図示）と、前記固定部に印加される電気信号を制御する制御部１４４を含む。
【００５５】
まず、本発明の一実施例による固定部は、前記ポケット部１２０に接する時、前記ポケット部１２０に挿入された挿入部材１３０との間に磁力が発生し、前記ポケット部１２０の前面に付着されるように磁力部材を含む第１固定部１４１で備えられてもよい。
【００５６】
一実施例として、前記第１固定部１４１は、磁石のような磁力部材が一側に備えられ、前記磁力部材は前記電気供給部１４０で直流または交流電源を供給する電源部と繋がって、前記電源部を通して前記第１固定部１４１に電流が流れることになる。
【００５７】
そして、図１及び図２を参照すれば、前記ポケット部１２０には、一例として金属のような磁性体からなる前記挿入部材１３０が挿入される。そのため、前記第１固定部１４１が前記ポケット部１２０に接触すると、前記第１固定部１４１は前記挿入部材１３０の間の磁力によって前記ポケット部１２０の一面に付着される。
【００５８】
その結果、前記第１固定部１４１に電気が供給されると、前記第１固定部１４１と接触して伝導性物質からなる前記ポケット部１２０にも電流が流れるようになる。そして、前記ポケット部１２０に挿入される挿入部材１３０にも電流が流れるようになる。
【００５９】
同様の原理で、前記第１固定部１４１は金属のような磁性体を含み、前記挿入部材１３０は磁石からなることも可能である。
【００６０】
そして、図面には直接図示していないが、本発明の一実施例による第１固定部１４１は、図３に図示されたように、前記挿入部材１３０がポケット部１２０から突出された第２本体１３２を備える場合、前記第２本体１３２に直接付着されて前記挿入部材１３０に直接電流を流すこともできる。
【００６１】
別の実施例として、本発明の一実施例による固定部は、一対の磁力部材を含む第２固定部１４２で備えられてもよい。
【００６２】
図３に図示されたように、前記挿入部材１３０は電流が流れる伝導性物質で備えられ、前記ポケット部１２０から突出された前記挿入部材１３０の第２本体１３２を挟んで、一対の磁力部材が互いに近づけば磁力によって前記第２本体１３２が前記一対の磁力部材の間に固定されることができる。
【００６３】
この時、図３のように、前記第２本体１３２が直立できるように形態が保たれ、前記挿入部材１３０が倒れずに前記マスクシート１１０で垂直方向に立っている物質からなる場合、一例として、前記挿入部材１３０が金属である場合は、前記一対の磁力部材が前記第２本体１３２の両面に付着されて固定されることができる。
【００６４】
別の例として、前記挿入部材１３０がアルミニウムのように電気は流れるものの磁石には付かない物質からなる場合も前記第２本体１３２が前記一対の磁力部材に挿入される場合、前記一対の磁力部材の間に発生する磁力によって、第２本体１３２が前記一対の磁力部材で固定されることができる。
【００６５】
また、前記第２本体１３２が伝導性物質であって、フィルム形状で構成され、図３と違って垂直方向に立つことができないため形体が維持されない場合も、前記第２本体１３２が前記一対の磁力部材の間に固定されて前記第２固定部１４２と前記第２本体１３２が繋がることができる。
【００６６】
そして、本発明の一実施例による第２固定部１４２は、第１固定部１４１のように、直流または交流電源を印加する電源部と電気的に繋がって、前記電源部に印加される電流が前記第２固定部１４２にも流れるようになる。そのため、前記第２固定部１４２が前記挿入部材１３０の第２本体１３２に付着され、電源部から供給される電流が前記挿入部材１３０に流れる。
【００６７】
ここで、図面には直接図示していないが、一対の磁力部材からなる前記第２固定部１４２で一つの磁力部材を、図１に図示したように、前記ポケット部１２０に前記挿入部材１３０を挿入した後、前記ポケット部１２０に接触して前記第２固定部１４２を前記ポケット部１２０に固定することも可能である。
【００６８】
そして、別の実施例として、図４を参照すれば、本発明の一実施例による電気供給部１４０は、金属物質からなるハサミ形状で構成され、挿入部材１３０の前記第２本体１３２に固定される第３固定部１４３を含む。
【００６９】
本発明の一実施例による第３固定部１４３は、前記第２本体１３２が磁性体ではないが電流が流れる伝導性物質からなる場合、及び前記第２本体１３２が磁性体の場合、いずれの場合もハサミ形状の前記第３固定部１４３を前記第２本体１３２をつまんで前記第３固定部１４３を前記第２本体１３２に固定することができる。
【００７０】
この時、図４を参照すれば、前記挿入部材１３０が前記第２固定部１４２で前述したように、形体が保たれる物質からなる場合、前記第２本体１３２は前記マスクシート１１０で突出された形状で構成され、前記第２固定部１４２が前記第２本体１３２に固定する時、前記第３固定部１４３が前記マスクシート１１０と接触せずに揺るがない状態で電気を前記挿入部材１３０に供給することができる。
【００７１】
また、前記第２本体１３２が伝導性物質であって、フィルム形状からなるし、図３と違って垂直方向に立てないため形体が保たれない場合にも、前記第２本体１３２が前記ハサミ形状の第３固定部１４３に固定されて前記第３固定部１４３と前記第２本体１３２が繋がることができる。
【００７２】
そして、本発明の一実施例による第３固定部１４３は、第１固定部１４１のように、直流または交流電源を印加する電源部と電気的に繋がって、前記電源部から印加される電流が前記第３固定部１４３にも流れるようになる。そのため、前記第３固定部１４３が前記挿入部材１３０の第２本体１３２に付着され、電源部で供給される電流が前記挿入部材１３０に流れることができる。
【００７３】
そして、本発明の一実施例による制御部１４４は、前述した前記第１固定部１４１、前記第２固定部１４２、前記第３固定部１４３を通して印加される電流の強さ、電気信号が印加される時間（周期）、電気信号の振幅などを制御するように備えられ、予め入力した使用者モードに応じて多様な形態の電流を前記挿入部材１３０及び前記ポケット部１２０に流すことができる。
【００７４】
そして、本発明の一実施例によるポケット部１２０は複数個からなり、前記マスクシート１１０の設定された位置に複数個が備えられてもよい。そして、それぞれのポケット部１２０は伝導性物質で互いに繋がることができる。
【００７５】
ここで、前記複数個のポケット部１２０には前記挿入部材１３０が選択的に挿入されることができる。すなわち、複数個のポケット部１２０の全てに前記挿入部材１３０が挿入されることもできるし、一部にのみ挿入されることもできる。
【００７６】
そして、本発明の一実施例による供給部１４０は、複数個の前記ポケット部１２０に挿入される複数個の挿入部材１３０の全部または一部に繋がって、前記供給部１４０と繋がった複数個の挿入部材１３０に供給される信号を個別的に制御することができる。
【００７７】
そのため、本発明の一実施例によるマスクパックセット１００は、複数個のポケット部１２０を備え、前記複数個のポケット部１２０が経絡のような顔の特定部位に位置するように前記マスクシート１１０に付着して電流が流れるようにし、使用者の顔面に経絡マッサージをするような効果を提供することができる。
【００７８】
一方、前記挿入部材１３０が伝導性に優れた金属物質からなる場合、前記挿入部材１３０が挿入される部分は、他の部分よりもっと強い刺激が与えられることができる。そして、前記挿入部材１３０が挿入されないポケット部１２０または連結部１２３での刺激が、ポケット部１２０が付着された部分を除いたマスクシート１１０部分より強いこともある。
【００７９】
そのため、それぞれの領域での電流の強さが異なることがあって、使用者の顔の特定部位に対する刺激をもっと強くしたり、弱く調節することができる。そのため、前記マスクシート１１０で各々の領域によって化粧液が吸収される割合と吸収時間を選択的に異に適用することができる。
【００８０】
そして、本発明の一実施例によるマスクパックセット１００は、複数個のポケット部１２０で選択的に挿入部材１３０を挿入及び取り除くことができるし、場合によっては刺激を与える位置を変更することができる。
【００８１】
つまり、画一的に同じ位置に刺激を与えるマスクパックに比べて、着用する人によって、同一人の場合も顔の状態によって刺激が与えられる部分を変更することができるので、弾力的に使用者の肌状態を改善することができる。
【００８２】
一方、本発明の一実施例によるマスクシート１１０に前記ポケット部１２０が付着される製造工程について説明すると、ポケット部１２０を製造し、製造されたポケット部１２０を前記マスクシート１１０の一面に載せた状態で、前記ポケット部１２０の外周で前記挿入部材１３０が挿入される挿入部１２１を除いた他の部分を熱融着して前記マスクシート１１０に前記ポケット部１２０を付着する。
【００８３】
以下、本発明の一実施例によるマスクパックセット１００の作用について説明する。
【００８４】
図１及び図２に示された本発明の一実施例によるマスクパックセット１００は、前記マスクシート１１０の一面に備えられるポケット部１２０に形成された挿入部１２１を開け、前記挿入部材１３０を挿入する。
【００８５】
そして、本発明の一実施例による第１固定部１４１を前述したように、前記ポケット部１２０によって付着し、前記第１固定部１４１と前記挿入部材１３０を電気的に連結する。
【００８６】
同様の原理によって、本発明の一実施例による第２固定部１４２と前記第３固定部１４３を前述したように、前記挿入部材１３０に電気的に連結する。
【００８７】
このように、前記電気供給部１４０と前記挿入部材１３０が電気的に繋がって前記挿入部材１３０に電気が流れ、前記ポケット部１２０も伝導性物質で製造されて電気が流れるようになる。また、前記ポケット部１２０と接合された前記マスクシート１１０は化粧液に含浸されていて、前記マスクシート１１０にも電気が流れるようになって、肌に電気刺激が与えられる。
【００８８】
これにより、前記マスクシート１１０に含浸された化粧液が速く肌に吸収されることができ、肌に化粧液が吸収される割合を高めることができる。
【００８９】
そして、本発明の一実施例による電気マスクパックセット１００は、マスクパック全体に電流が流れる効果を提供して、化粧液がイオン泳動可能な物質からなる場合、イオン泳動効果も提供するようになる。
【００９０】
本発明は特定の実施例に関して図示して説明したが、以下の特許請求範囲によって設けられる本発明の精神や分野を脱しない限り、本発明が多様に改造及び変化できることは、当業界における通常の知識を有する者であれば容易に分かることを言っておく。
【図１】
0006772264.tif 000002
【図２】
0006772264.tif 000003
【図３】
0006772264.tif 000004
【図４】
0006772264.tif 000005